(57)【要約】【課題】携帯に便利で、形態・デザインの自由度が高く、製造時の組立てが容易なスライド開閉式うちわの開閉機構及びその開閉機構によるうちわを提供することにある。【解決手段】基端部を貫通した部材で連結した複数枚のシートで、連接したシートを任意の角で係止させ連動する回動連結手段で、基端部の折り返しと連接するシートの折り返し部角度もしくは断裁部角度の差によって最大回動角度と最低閉角度を固定し連動することを可能とする。【選択図】図１
2008295996.tif 000002
【特許請求の範囲】
【請求項１】
基端部を貫通した部材で連結した複数枚のシートで、連接したシートを任意の角度で係止させ連動する回動連結手段で、基端部の折り返しと連接するシートの折り返し部角度もしくは断裁部角度の差によって最大回動角度を固定し連動することを特徴とする開閉機構。
【請求項２】
基端部を貫通した部材で連結した複数枚のシートで、全てのシートを任意の角度で係止させる回動連結手段で、最上部シートの折り返しとその他のシートの断裁部角度の差によって最低開き角度を固定することを特徴とする開閉機構。
【請求項３】
請求項１及び請求項２記載の機構によるスライド開閉式うちわ。
【発明の詳細な説明】
【技術分野】
【０００１】本発明は板紙や合成樹脂シート等を素材とした複数の開閉部材を連結して開閉される開閉機構及びスライド開閉式うちわに関する。
【背景技術】
【０００２】従来、うちわの類として骨組みに１枚の紙等を張ったうちわや、折りたたみ式の扇子がある。また、複数枚のシートを任意の角度で固定し連動させる方法として、回動する際連接するシートを引っ掛ける部分を作る方法がある（例えば、特許文献１及び特許文献２参照）。
【特許文献１】特開平６−２１４７５号広報（図１）
【特許文献２】特開平１０−１７９２２６号広報（図５）
【発明の開示】
【発明が解決しようとする課題】
【０００３】従来のうちわでは携帯用としては適さない。扇子の場合は携帯用としては好ましいが、製造コストが比較的高く、形態の自由度がない。【０００４】また、連接するシートに引っ掛ける部分を作る方法では、各シートに穴及び突起が必要（特許文献１）な場合や、形態が固定される（特許文献２）ため、デザインの自由度が失われる。【０００５】あわせて、連接するシートに引っ掛ける部分を作る方法では組み立て時に各シートの連結作業が発生し、コストがかかる。【０００６】本発明において解決すべき課題は、携帯に便利で、形態・デザインの自由度が高く、製造時の組立てが容易なスライド開閉式うちわの開閉機構及びその開閉機構によるうちわを提供することにある。
【課題を解決するための手段】
【０００７】本発明の開閉機構は、基端部を貫通した部材で連結した複数枚のシートにより、連接したシートを任意の角度で係止させ連動する回動連結手段で、基端部の折り返しと連接するシートの折り返し部角度もしくは断裁部角度の差によって最大回動角度を固定し連動することを特徴とする。【０００８】本発明の開閉機構は、基端部を貫通した部材で連接した複数枚のシートにより、全てのシートを任意の角度で係止させる回動手段で、最上部シート基端部折り返しとその他のシートの断裁部角度の差によって最低閉角度を固定することを特徴とする。【０００９】本発明のうちわは、基端部を貫通した部材で連結した複数枚のシートにより、連接したシートを任意の角度で係止させ連動する回動連結手段で、基端部の折り返しと連接するシートの折り返し部角度もしくは断裁部角度の差によって最大回動角度を固定し連動する開閉機構を備えたことを特徴とする。【００１０】本発明のうちわは、基端部を貫通した部材で連結した複数枚のシートにより、全てのシートを任意の角度で係止させる回動手段で、最上部シート基端部折り返しとその他のシートの断裁部角度の差によって最低閉角度を固定する開閉機構を備えたことを特徴とする。
【発明の効果】
【００１１】基端部を貫通した部材で連結しただけのシートではそれぞれのシートを係止させることができないのに対し、折畳んだ状態、開いた状態のそれぞれの係止する角度を任意に設定することができる。
開閉機構を基端部のみに持たせるため、基端部以外の各シートの形状はすべて任意に形成できる。
各シートの折り返し部分をあてとして、隣接するシートの基端部が挟まれた状態で係止する機構により、素材の厚みによる挟み圧が発生し、使用している間に畳まれることが防止できる。【００１２】製造時の組立てが容易なため、これまでのスライド開閉式うちわ、扇子に比べ製造コストを削減できる。
【発明を実施するための形態】
【００１３】本発明の実施の形態を図面に示した実施例を参照にして詳細に説明する。
【００１４】図１は本発明のうちわを表側から見た拡開状態、図２は本発明のうちわを表側から見た閉状態である。
【００１５】本発明のうちわは任意の複数枚のシートと回転軸となるハトメ、プラネジ等円柱型クリップ６とで構成され、回動支点Ｂを中心として図２の閉状態から図１の最大拡開角Ａの状態まで回動する。実施例ではシート１〜５の５枚のシートを円柱型クリップ６によって連接し、最大拡開角Ａを１２０度としたものである。この時連接するシートとの拡開角は３０度となる。
【００１６】シート１〜５は折り曲げ可能な板紙または合成樹脂シートを素材とする。
【００１７】図３は各シート１〜５を互いにばらして示す図である。図４は各シート１〜５の基端部回転機構詳細図である。
【００１８】シート１にシート２〜５の回動支点Ｂを重ね、円柱型クリップ６を貫通させる。１ａで折り返し、シート２〜５を挟み込む。この時各シートの２ａ、３ａ、４ａ、５ａの部分がシート１の折り返し線１ａにあたることにより図２の閉状態より逆開きを防止する。また１ａ、２ａ、３ａ、４ａ、５ａの角度を各シートの回転基軸Ｃに対して同角とすることにより図２のように各シートの回転基軸を閉状態のとき同位置で固定することができる。
【００１９】シート１の回動支点Ｂから折り返し部１ａまでの距離を１ｃとしたとき、シート２〜４の各シートに回動支点Ｂから、シート２は１ｃから素材厚を引いた距離２ｃ、シート３は２ｃから素材厚を引いた距離３ｃ、シート４は３ｃから素材厚を引いた距離４ｃを半径とした円周に対する接線２ｅ、３ｅ、４ｅで折り返す折り返し部２ｆ、３ｆ、４ｆを設ける。シート５には回動支点Ｂから４ｃと同じ距離５ｃを半径とした円周に対する接線５ｅで断裁面を設ける。この時２ｅ、３ｅ、４ｅ、５ｅと回転基軸Ｃとの間の角度差がそれぞれのシートのシート１に対する最大拡開角となる。実施例の場合、角度差２ｄは３０度、角度差３ｄは６０度、角度差４ｄは９０度、角度差５ｄは１２０度となる。
【００２０】シート２〜シート５の２ａ〜５ａの片端２ｇ〜５ｇと、２ｅ〜５ｅ片端２ｈ〜５ｈを結んだ線は各シートの回動を妨げないようそれぞれ２ｃ、３ｃ、４ｃ、５ｃを半径とした円周または円周より内側で形成するものとする。またこのことにより２ｇ〜５ｇ、２ｈ〜５ｈはそれぞれ２ｃ、３ｃ、４ｃ、５ｃを半径とした円周上に必ず位置することとなる。
【００２１】図５は拡開状態の基端部を底面から見た状態である。
【００２２】組立て時には、シート１〜５の順に重ね４ｆ、３ｆ、２ｆ、１ｆの順に折り返し部を折り返す。これにより図５の様に５ｅ部分は４ｆに、４ｅは３ｆに、３ｅは２ｆに、２ｅは１ｆに挟み込まれた状態になる。
【００２３】図２の閉状態から、シート１を固定状態にしてシート５を回動した時、５ｄと４ｄの差３０度を回動した時点で、５ｅは４ｅにあたりシート５とシート４の拡開角は３０度で固定される。さらに回動を続けると４ｅは３ｅにあたりシート４とシート３の拡開角は３０度で固定される。同じように３ｅは２ｅに、２ｅは１ａにあたり、それぞれ隣接するシートの拡開角は３０度で固定されることにより、シート４、シート３、シート２は連回動し、最終的にシート５が最大拡開角Ａである１２０度に達しした状態で係止する。
実施例では各シート３０度間隔で５シート、最大拡開角１２０度の開閉機構およびスライド開閉式うちわを構成したが、シートの枚数は２枚以上の任意の枚数でよく、その拡開度の間隔も最大拡開角以内で任意に設定してもよい。また、最大拡開角も１２０度未満ないし１２０度以上に設定してもよい。
【図面の簡単な説明】
【００２４】
【図１】本発明のうちわを表側から見た拡開状態である。
【図２】本発明のうちわを表側から見た閉状態である。
【図３】本発明のうちわの各シート１〜５を互いにばらして示す図である。
【図４】各シート１〜５の基端部回転機構詳細図である。
【図５】拡開状態の基端部回転機構を底面から見た状態である。
【図６】本発明のうちわの閉状態斜視図である。
【図１】
2008295996.tif 000003
【図２】
2008295996.tif 000004
【図３】
2008295996.tif 000005
【図４】
2008295996.tif 000006
【図５】
2008295996.tif 000007
【図６】
2008295996.tif 000008